(57)【特許請求の範囲】
【請求項１】
氷、氷の入ったアイスペール、ドライアイス、保冷剤などの冷熱体を冷熱源として発電を行う熱電発電装置と、この熱電発電装置によって発電された電力を用いて発光する光源と、を有する台と、
この台の上に配置される透明なオブジェであって、前記光源からの光を屈折及び／又は反射して演出効果を高めるためのオブジェと、を備えたことを特徴とするインテリア。
【請求項２】
台の上面側に放熱部が配置された熱電発電装置と、この熱電発電装置によって発電された電力を用いて発光する光源と、を有する台と、
この台における熱電発電装置の放熱部の上に配置されるアイスペールと、を備えたことを特徴とするインテリア。
【請求項３】
台の上面側に放熱部が配置された熱電発電装置と、この熱電発電装置によって発電された電力を用いて発光する光源と、を有する台と、
この台における熱電発電装置の放熱部の上に配置される水槽と、を備えたことを特徴とするインテリア。
【請求項４】
請求項１乃至３のいずれかに記載のインテリアにおいて、
前記熱電発電装置の吸熱部には吸熱フィンが取り付けられていることを特徴とするインテリア。
【請求項５】
請求項１乃至３のいずれかに記載のインテリアにおいて、
前記熱電発電装置の吸熱部に湯や使い捨てかいろなどの温熱体から熱を与えることのできる構造を有してなることを特徴とするインテリア。
【請求項６】
請求項３に記載のインテリアにおける水槽中に氷を入れて、熱電発電効率を向上させて演出効果をさらに高めることを特徴とするインテリアの演出方法。
【請求項７】
台の上面側に吸熱部が配置された熱電発電装置と、この熱電発電装置によって発電された電力を用いて発光する光源と、を有する台と、
この台における熱電発電装置の吸熱部の上に配置され吸熱部に熱を与えるとともに、前記光源からの光を屈折及び及び／又は反射して演出効果を高める湯槽と、を備えたことを特徴とするインテリア。
【請求項８】
請求項７に記載のインテリアにおいて、
前記熱電発電装置の放熱部には放熱フィンが取り付けられていることを特徴とするインテリア。
【請求項９】
請求項７に記載のインテリアにおいて、
前記熱電発電装置の放熱部から冷熱体に熱を放熱することのできる構造を有してなることを特徴とするインテリア。
【請求項１０】
中央部に水槽部を有する桶型基体と、この桶型基体の底部に配置された熱電発電装置であって上側に放熱部が配置され下側に吸熱部が配置された熱電発電装置とを有し、浴槽の湯に浮かべて浴槽の湯から吸熱部に熱を与えるとともに前記桶型基体の水槽部に水を入れて放熱部から熱を奪って発電を行う熱電発電ユニットと、
この熱電発電ユニットで発電された電力を用いてジェット水流を発生するジェット水流発生ユニットと、
前記熱電発電ユニットと前記ジェット水流発生ユニットとを電気的に接続する接続部材と、を備えたことを特徴とする浴槽用ジェット水流発生装置。
【請求項１１】
請求項１０に記載の浴槽用ジェット水流発生装置において、
前記接続部材には、前記浴槽用ジェット水流発生装置に空気を輸送する輸送管が収納されてなることを特徴とする浴槽用ジェット水流発生装置。
【請求項１２】
氷、ドライアイス、保冷剤などの冷熱体を冷熱源として熱電発電を行う熱電発電装置を内蔵することを特徴とする玩具。
【請求項１３】
湯や使い捨てかいろなどの温熱体を温熱源とし、氷、ドライアイス、保冷剤などの冷熱体を冷熱源として熱電発電を行う熱電発電装置を内蔵することを特徴とする玩具。
【発明の詳細な説明】
【０００１】
【発明が属する技術分野】
本発明は、熱電発電装置をインテリア等のさまざまな用途に応用した熱電発電装置応用物品に関する。
【０００２】
【従来の技術】
図９は、熱電発電素子の熱電発電機能を説明するための図である。図９（ａ）は多数のペルチェ素子が直列に接続された構造を有する熱電発電素子９００の熱電発電機能を説明する図であり、図９（ｂ）は多数のペルチェ素子が並列に接続された構造を有する熱電発電素子９０２の熱電発電機能を説明する図である。
【０００３】
熱電発電素子９００は、図９（ａ）に示されるように、吸熱側電極９３０Ｈと放熱側電極９３０Ｌとの間に、Ｐ型半導体９１０Ｐと、Ｎ型半導体９１０Ｎとを交互にπ型に配列させた構造を、吸熱側セラミクス９２０Ｈと放熱側セラミクス９２０Ｌとでさらにサンドイッチした構造を有している。
【０００４】
このため、吸熱側電極９３０Ｈ側を、熱水に接触させる等の手段により放熱側電極９３０Ｌ側よりも高温状態とすると、熱電発電素子９００の上部（吸熱側電極９３０Ｈ側）においては周囲からエネルギを吸収して電子がエネルギレベルの低い状態から高い状態へと移行し、下部（放熱側電極９３０Ｌ側）においては、電子がエネルギレベルの高い状態から低い状態へと移行して余ったエネルギを周囲の結晶格子に与える。このため、熱が矢印Ｄ方向に伝達されるとともに熱電発電素子９００には起電力が生じる。
【０００５】
すなわち、Ｎ型半導体９１０Ｎにおいて電子（−）が矢印Ｂ方向に、またＰ型半導体９１０Ｐにおいてはホール（＋）が矢印Ｃ方向に流れ、結果として電流が流れることになる。
【０００６】
これによって、放熱側電極９３０Ｌに導電線によって接続された電圧計Ｖ及び電流計Ａの針が、発生した電圧及び電流に応じて振れると共に、負荷に電流が流れ所定の動作を行われる。その結果、熱エネルギは電気エネルギに変換され、変換された電気エネルギーは、負荷部分で有効に利用される。図９（ｂ）の熱電発電素子９０２においても、基本的には図９（ａ）の熱電発電素子９００の場合と同じように、熱電発電機能を発揮する。
【０００７】
このように、熱電発電素子は、温度差を電力に変換する機能を有するため、特開平１１−２４７７５３号に開示されているように温泉熱電発電システムの用途に応用されている。
【０００８】
【発明が解決しようとする課題】
しかしながら、この熱電発電素子をインテリア用途、玩具用途、風呂用途に応用した物品はない。
【０００９】
そこで、本発明は、このように温度差を電力に変換するユニークな機能を有する熱電発電装置をインテリア用途、玩具用途、風呂用途に応用して有用な物品を提供することを目的とする。
【００１０】
【課題を解決するための手段】
（１）本発明のインテリアは、氷、氷の入ったアイスペール、ドライアイス、保冷剤などの冷熱体を冷熱源として発電を行う熱電発電装置と、この熱電発電装置によって発電された電力を用いて発光する光源と、を有する台と、
この台の上に配置される透明なオブジェであって、前記光源からの光を屈折及び／又は反射して演出効果を高めるためのオブジェと、を備えたことを特徴とする。
【００１１】
このため、本発明のインテリアにおいては、氷、氷の入ったアイスペール、ドライアイス、保冷剤などの冷熱体を供給するだけで、この冷熱体と室温との温度差により発電を行うことができる。その結果、光源はこの発電された電力により発光し、この光源からの光は透明なオブジェ内で屈折及び／又は反射して外部に射出され、高い演出効果が得られる。また、本発明のインテリアにおいては、冷熱体を供給するだけで光源の発光を持続させることができるため、商用電力を使う必要がなく電気コードも不要となり、インテリアとしての価値が高まる。さらにまた、本発明のインテリアにおいては、冷熱体を供給するだけで光源の発光を持続させることができるため、熱電発電素子を使用した効果が目に見えるようになり、この結果、火力発電や原子力発電を代替する代替エネルギーの普及・啓蒙にも役立つ。
【００１２】
（２）本発明のインテリアは、台の上面側に放熱部が配置された熱電発電装置と、この熱電発電装置によって発電された電力を用いて発光する光源と、を有する台と、
この台における熱電発電装置の放熱部の上に配置され放熱部の上に配置されるアイスペールと、を備えたことを特徴とする。
【００１３】
このため、本発明のインテリアにおいては、台の上に氷の入ったアイスペールを載置するだけで、氷と室温との温度差により発電を行うことができる。その結果、光源はこの発電された電力により発光し、この光源からの光はアイスペール及びアイスペールに満たされている氷の表面や内面で複雑に屈折したり反射したりした後に外部に射出するため、高い演出効果が得られる、また、本発明のインテリアにおいては、アイスペール内の氷に動きがあると光にゆらぎが生じ、さらに高い演出効果が得られるという効果もある。また、本発明のインテリアにおいては、アイスペールに氷を供給するだけで光源の発光を持続させることができるため、商用電力を使う必要がなく電気コードも不要となり、インテリアとしての価値が高まる。さらにまた、本発明のインテリアにおいては、アイスペールに氷を供給するだけで光源の発光を持続させることができるため、熱電発電素子を使用した効果が目に見えるようになり、この結果、火力発電や原子力発電を代替する代替エネルギーの普及・啓蒙にも役立つ。
【００１４】
（３）本発明のインテリアは、台の上面側に放熱部が配置された熱電発電装置と、この熱電発電装置によって発電された電力を用いて発光する光源と、を有する台と、
この台における熱電発電装置の放熱部の上に配置される水槽と、を備えたことを特徴とする。
【００１５】
このため、本発明のインテリアにおいては、台の上の水槽に水（例えば冷水）を供給するだけで、水と室温との温度差により発電を行うことができる。その結果、光源はこの発電された電力により発光し、この光源からの光はこの水槽内で屈折及び／又は反射して外部に射出され、高い演出効果が得られる。また、本発明のインテリアにおいては、水槽内の水に動きがあると光にゆらぎが生じ、さらに高い演出効果が得られるという効果もある。また、本発明のインテリアにおいては、水を供給するだけで光源の発光を持続させることができるため、商用電力を使う必要がなく電気コードも不要となり、インテリアとしての価値が高まる。さらにまた、本発明のインテリアにおいては、水を供給するだけで光源の発光を持続させることができるため、熱電発電素子を使用した効果が目に見えるようになり、この結果、火力発電や原子力発電を代替する代替エネルギーの普及・啓蒙にも役立つ。
【００１６】
（４）上記（１）乃至（３）のいずれかに記載のインテリアにおいては、前記熱電発電装置の吸熱部には吸熱フィンが取り付けられていることが好ましい。
【００１７】
このように構成することにより、この吸熱フィンの作用により、熱電発電装置の吸熱部と放熱部との温度差が確保され、熱電発電効率を高めることができ、さらに高い演出効果が得られる。
【００１８】
（５）上記（１）乃至（３）のいずれかに記載のインテリアにおいては、前記熱電発電装置の吸熱部に湯や使い捨てかいろなどの温熱体から熱を与えることのできる構造を有してなることも好ましい。
【００１９】
このように構成することにより、吸熱部の温度を高めることができ、熱電発電装置の吸熱部と放熱部との温度差が確保され、熱電発電効率を高めることができ、さらに高い演出効果が得られる。温熱体としては、湯の入った容器、湯茶の入ったカップ、使い捨てかいろなどを好適に用いることができる。
【００２０】
（６）本発明のインテリア台は、台の上面側に放熱部が配置された熱電発電装置と、この熱電発電装置によって発電された電力を用いて発光する光源と、を有することを特徴とする。
【００２１】
このように構成することにより、このインテリア台の上に、アイスペールや水槽のように冷たいものを載置するだけで、上記（２）や（３）のインテリアと同じ効果が得られる。
【００２２】
（７）本発明のインテリアの演出方法は、上記（３）に記載のインテリアにおける水槽中に氷を入れて、熱電発電効率を向上させて演出効果をさらに高めることと特徴とする。
【００２３】
このため、本発明のインテリアの演出方法は、水槽内の水の温度を摂氏０度近くまで下げることができるため、熱電発電素子における放熱側電極と吸熱側電極との温度差を大きくすることができる。その結果、熱電発電効率が高まり、光源の発光強度を高めることができ、インテリアとしての演出効果をさらに高めることができる。
【００２４】
（８）本発明のインテリアは、湯や使い捨てかいろなどの温熱体を温熱源として発電を行う熱電発電装置と、この熱電発電装置によって発電された電力を用いて発光する光源と、を有する台と、
この台の上に配置される透明なオブジェであって、前記光源からの光を屈折及び／又は反射して演出効果を高めるためのオブジェと、を備えたことを特徴とする。
【００２５】
このため、本発明のインテリアにおいては、湯の入った容器、湯茶の入ったカップ、使い捨てかいろなどの温熱体を供給するだけで、この温熱体と室温との温度差により発電を行うことができる。その結果、光源はこの発電された電力により発光し、この光源からの光は透明なオブジェ内で屈折及び／又は反射して外部に射出され、高い演出効果が得られる。また、本発明のインテリアにおいては、湯の入った容器、湯茶の入ったカップ、使い捨てかいろなどの温熱体を供給するだけで光源の発光を持続させることができるため、商用電力を使う必要がなく電気コードも不要となり、インテリアとしての価値が高まる。さらにまた、本発明のインテリアにおいては、湯の入った容器、湯茶の入ったカップ、使い捨てかいろなどの温熱体を供給するだけで光源の発光を持続させることができるため、熱電発電素子を使用した効果が目に見えるようになり、この結果、火力発電や原子力発電を代替する代替エネルギーの普及・啓蒙にも役立つ。
【００２６】
（９）本発明のインテリアは、台の上面側に吸熱部が配置された熱電発電装置と、この熱電発電装置によって発電された電力を用いて発光する光源と、を有する台と、
この台における熱電発電装置の吸熱部の上に配置され吸熱部に熱を与えるとともに、前記光源からの光を屈折及び／又は反射して演出効果を高める湯槽と、を備えたことを特徴とする。
【００２７】
このため、本発明のインテリアにおいては、台の上の湯槽に湯を供給するだけで、湯と室温との温度差により発電を行うことができる。その結果、光源はこの発電された電力により発光し、この光源からの光はこの湯槽内で屈折及び／又は反射して外部に射出され、高い演出効果が得られる。また、本発明のインテリアにおいては、湯槽内の湯が対流等により動くため光にゆらぎが生じ、さらに高い演出効果が得られるという効果もある。また、本発明のインテリアにおいては、湯を供給するだけで光源の発光を持続させることができるため、商用電力を使う必要がなく電気コードも不要となり、インテリアとしての価値が高まる。さらにまた、本発明のインテリアにおいては、湯を供給するだけで光源の発光を持続させることができるため、熱電発電素子を使用した効果が目に見えるようになり、この結果、火力発電や原子力発電を代替する代替エネルギーの普及・啓蒙にも役立つ。
【００２８】
（１０）上記（８）又は（９）に記載のインテリアにおいては、前記熱電発電装置の放熱部には放熱フィンが取り付けられていることが好ましい。
【００２９】
このように構成することにより、この放熱フィンの作用により、熱電発電装置の吸熱部と放熱部との温度差が確保され、熱電発電効率を高めることができ、さらに高い演出効果が得られる。
【００３０】
（１１）上記（８）又は（９）に記載のインテリアにおいては、前記熱電発電装置の放熱部から冷熱体に熱を放熱することのできる構造を有してなることも好ましい。
【００３１】
このように構成することにより、放熱部の温度を低くすることができ、熱電発電装置の吸熱部と放熱部との温度差が確保され、熱電発電効率を高めることができ、さらに高い演出効果が得られる。冷熱体としては、氷、ドライアイス、水、氷の入ったアイスペールなどを好適に用いることができる
【００３２】
（１２）本発明のインテリア台は、台の上面側に吸熱部が配置された熱電発電装置と、この熱電発電装置によって発電された電力を用いて発光する光源と、を有することを特徴とする。
【００３３】
このため、このインテリア台の上に、湯槽などの温かいものを載置するだけで、上記（９）のインテリアと同じ効果が得られる。
【００３４】
（１３）本発明の風呂用玩具は、熱電発電装置を内蔵する風呂用玩具であって、風呂の湯から前記熱電発電装置の吸熱部に熱を与えるとともに、前記熱電発電装置の放熱部から熱を放熱して発電を行い、この発電された電力を用いて玩具の機能を発揮させるように構成されてなることを特徴とする。
【００３５】
このため、本発明の風呂用玩具においては、風呂の中に必ずふんだんに存在する湯から熱電発電装置の吸熱部に熱を与えるように構成してなるので、風呂用玩具の機能を極めて容易に発揮させることができる。また、この玩具は、電池を必要としないため、玩具としての使用価値がさらに高まる。また、本発明の風呂用玩具においては、風呂の中でふんだんに使用可能な水を冷熱源として用いることもできるため、熱電発電効率が低下したときには、新鮮な湯や水を用いることによりまた熱電発電効率を高めることができる。さらにまた、本発明の風呂用玩具においては、新鮮な湯や水を用いるだけで玩具が機能を発揮するので、熱電発電素子を使用した効果が目に見えるようになり、この結果、火力発電や原子力発電を代替する代替エネルギーの普及・啓蒙にも役立つ。
【００３６】
風呂用玩具としては特に限定されるものではないが、例えば、船おもちゃ、乗り物おもちゃ、魚おもちゃ、動物おもちゃ、人形などを好適に用いることができる。また、機能を発揮するとは、船や魚が動いたり、人形の手や口が動いたり、乗り物のライトが点灯したり、人形が声を出したりすることなどをいう。
【００３７】
（１４）本発明の風呂用船玩具は、船玩具本体と、この船玩具本体に収納されたモ−ターと、このモーターの回転により駆動させられる推進装置とを備えた風呂用船玩具において、
この船玩具の底部に配置された熱電発電装置であって上側に放熱部が配置され下側に吸熱部が配置された熱電発電装置と、
この熱電発電装置の放熱部の上側に設置された水槽部を、をさらに有し、
浴槽の湯に浮かべて浴槽の湯から前記熱電発電装置の吸熱部に熱を与えるとともに前記水槽部に水を入れて前記熱電発電装置の放熱部から熱を吸熱して発電を行い、この発電された電力を用いて前記モーターを回転させて推進装置を駆動することを特徴とする。
【００３８】
このため、本発明の風呂用船玩具においては、水槽部に水（例えば水道水）を供給するだけで、熱電発電装置が湯と水との温度差により発電を行い、その電力でモーターが回転する。その結果、船玩具の推進装置が駆動され、船玩具が動き始める。この船玩具は、電池を必要としないため、玩具としての使用価値が高まる。また、本発明の風呂用船玩具においては、水が温まって水温が湯温に近づいて熱電発電効率が低下した場合には、水槽内の水を新鮮な水に取り替えればまた熱電発電効率を高めることができる。さらにまた、本発明の風呂用船玩具においては、水槽部に新鮮な水を入れるだけで船玩具が動き始めるので、熱電発電素子を使用した効果が目に見えるようになり、この結果、火力発電や原子力発電を代替する代替エネルギーの普及・啓蒙にも役立つ。
【００３９】
上記（１４）に記載の風呂用船玩具においては、前記推進装置はスクリューであることができる。このように構成すれば、推進効率が高まるので、船玩具の動きを速くすることができ、楽しさが増し、玩具としての使用価値がさらに高まる。
【００４０】
上記（１４）に記載の風呂用船玩具においては、前記推進装置は外輪であることができる。このように構成しても、外輪が回転することによって船玩具が進行するため、やはり楽しさが増し、玩具としての使用価値がさらに高まる。
【００４１】
上記（１４）に記載の風呂用船玩具においては、前記推進装置はオール又は櫓であることができる。このように構成しても、オール又は櫓が動作することによって船玩具が進行するため、やはり楽しさが増し、玩具としての使用価値がさらに高まる。
【００４２】
（１５）本発明の浴槽用ジェット水流発生装置は、中央部に水槽部を有する桶型基体と、この桶型基体の底部に配置された熱電発電装置であって上側に放熱部が配置され下側に吸熱部が配置された熱電発電装置とを有し、浴槽の湯に浮かべて浴槽の湯から吸熱部に熱を与えるとともに前記桶型基体の水槽部に水を入れて放熱部から熱を吸熱して発電を行う熱電発電ユニットと、
この熱電発電ユニットで発電された電力を用いてジェット水流を発生するジェット水流発生ユニットと、
前記熱電発電ユニットと前記ジェット水流発生ユニットとを電気的に接続する接続部材と、を備えたことを特徴とする。
【００４３】
このため、本発明の浴槽用ジェット水流発生装置においては、水槽部に水（例えば水道水）を供給するだけで、熱電発電装置が湯と水との温度差により発電を行い、その電力でジェット水流を発生する。この浴槽用ジェット水流発生装置においては、水が温まって水温が湯温に近づいて熱電発電効率が低下した場合には、水槽内の水を新鮮な水に取り替えればまた熱電発電効率を高めることができる。また、本発明の浴槽用ジェット水流発生装置においては、水槽部に新鮮な水を入れるだけでジェット水流が発生するため、熱電発電素子を使用した効果が目に見えるようになり、この結果、火力発電や原子力発電を代替する代替エネルギーの普及・啓蒙にも役立つ。
【００４４】
（１６）上記（１５）に記載の浴槽用ジェット水流発生装置においては、前記接続部材には、前記ジェット水流発生装置に空気を輸送する輸送管が収納されてなることが好ましい。このように構成することにより、本発明の浴槽用ジェット水流発生装置は、単に水流を発生するだけでなく、同時に気泡をも発生することができ、そのため、気泡風呂としての効果も奏する。
【００４５】
（１７）本発明の玩具は、湯や使い捨てかいろなどの温熱体を温熱源として熱電発電を行う熱電発電装置を内蔵することを特徴とする。このため、本発明の玩具においては、湯の入った容器、湯茶の入ったカップ、使い捨てかいろなどの温熱体を供給するだけで、この温熱体と室温との温度差により発電を行うことができる。その結果、玩具の機能を極めて容易に発揮させることができる。また、この玩具は、電池を必要としないため、玩具としての使用価値がさらに高まる。また、本発明の玩具においては、熱電発電効率が低下したときには、湯や使い捨てかいろなどの温熱体を取り替えることによりまた熱電発電効率を高めることができる。さらにまた、本発明の玩具においては、湯や使い捨てかいろなどの温熱体を用いるだけで玩具が機能を発揮するので、熱電発電素子を使用した効果が目に見えるようになり、この結果、火力発電や原子力発電を代替する代替エネルギーの普及・啓蒙にも役立つ。
【００４６】
（１８）本発明の玩具は、氷、ドライアイス、保冷剤などの冷熱体を冷熱源として熱電発電を行う熱電発電装置を内蔵することを特徴とする。このため、本発明の玩具においては、氷、ドライアイス、保冷剤などの冷熱体などの冷熱体を供給するだけで、この冷熱体と室温との温度差により発電を行うことができる。その結果、玩具の機能を極めて容易に発揮させることができる。また、この玩具は、電池を必要としないため、玩具としての使用価値がさらに高まる。また、本発明の玩具においては、熱電発電効率が低下したときには、氷、ドライアイス、保冷剤などの冷熱体を取り替えることによりまた熱電発電効率を高めることができる。さらにまた、本発明の玩具においては、氷、ドライアイス、保冷剤などの冷熱体を用いるだけで玩具が機能を発揮するので、熱電発電素子を使用した効果が目に見えるようになり、この結果、火力発電や原子力発電を代替する代替エネルギーの普及・啓蒙にも役立つ。
【００４７】
（１９）本発明の玩具は、湯や使い捨てかいろなどの温熱体を温熱源とし、氷、ドライアイス、保冷剤などの冷熱体を冷熱源として熱電発電を行う熱電発電装置を内蔵することを特徴とする。このため、本発明の玩具においては、湯や使い捨てかいろなどの温熱体と、氷、ドライアイス、保冷剤などの冷熱体などの冷熱体を供給するだけで、この温熱体と冷熱体との温度差により発電を行うことができる。その結果、玩具の機能を極めて容易に発揮させることができる。さらに、温熱体と冷熱体を同時に供給するため、温度差を大きくできるという効果もある。また、この玩具は、電池を必要としないため、玩具としての使用価値がさらに高まる。また、本発明の玩具においては、熱電発電効率が低下したときには、湯や使い捨てかいろなどの温熱体や、氷、ドライアイス、保冷剤などの冷熱体を取り替えることによりまた熱電発電効率を高めることができる。さらにまた、本発明の玩具においては、湯や使い捨てかいろなどの温熱体と、氷、ドライアイス、保冷剤などの冷熱体とを用いるだけで玩具が機能を発揮するので、熱電発電素子を使用した効果が目に見えるようになり、この結果、火力発電や原子力発電を代替する代替エネルギーの普及・啓蒙にも役立つ。
【００４８】
【発明の実施の形態】
以下、図面を用いて、本発明の実施の形態を詳しく説明するが、本発明はこの実施の形態に限定されるものではない。。
【００４９】
（実施形態１）
図１は、本発明の実施形態１に係るインテリア１００の説明図である。図１に示されるように、実施形態１に係るインテリア１００は、台１１０とオブジェ１２０とを備えたインテリアである。
【００５０】
台１１０は、載置台１１６上に静置された氷１１８を冷熱源とし室温を温熱源として発電を行う熱電発電装置１１２と、この熱電発電装置１１２によって発電された電力を用いて発光するＬＥＤからなる複数の光源１１４と、を有している。熱電発電装置１１２の周囲には断熱材が配置されており、熱電発電装置１１２の放熱部と吸熱部の温度差を確保できるように構成されている。熱電発電装置１１２の吸熱部には図示していない吸熱フィンが取り付けられている。
【００５１】
台１１０の上にはガラス製の透明なオブジェ１２０が配置されている。オブジェ１２０は鑑賞者の目を楽しませることのできるように芸術的な曲面を有しており、光源１１４からの光はそのオブジェの曲面で複雑に屈折したり反射したりした後に外部に射出するため、インテリア１００においては高い演出効果が得られている。また、インテリア１００においては、氷１１８を適宜供給するだけで光源１１４の発光を持続させることができるため、商用電力を使う必要がなく電気コードも不要となり、インテリアとしての価値が高められている。さらにまた、インテリア１００においては、氷１１８を適宜供給するだけで光源１１４の発光を持続させることができるため、熱電発電装置１１２を使用した効果が目に見えるようになり、この結果、火力発電や原子力発電を代替する代替エネルギーの普及・啓蒙にも役立つという効果もある。
【００５２】
（実施形態２）
図２は、本発明の実施形態２に係るインテリア２００の説明図である。図２に示されるように、実施形態２に係るインテリア２００は、台２１０とアイスペール２２０とを備えたインテリアである。
【００５３】
インテリア２００における台２１０は、アイスペール２２０中の氷Ｃを冷熱源とし室温を温熱源として発電を行う熱電発電装置２１２と、熱電発電装置２１２によって発電された電力を用いて発光するＬＥＤからなる複数の光源２１４と、を有している。熱電発電装置２１２は、その放熱部が台２１０の上面側になりその吸熱部が台２１０の下面側になるように配置されている。また、熱電発電装置２１２の周囲には断熱材が配置されており、熱電発電装置２１２の放熱部と吸熱部の温度差を確保できるように構成されている。熱電発電装置２１２の吸熱部には図示していない吸熱フィンが取り付けられている。
【００５４】
台２１０の上にはガラス製のアイスペール２２０が配置されている。アイスペール２２０には氷Ｃが満たされている。インテリア２００においては、光源２１４からの光がそのアイスペール２２０及びアイスペール２２０に満たされている氷Ｃの表面や内面で複雑に屈折したり反射したりした後に外部に射出するため、高い演出効果が得られている。また、インテリア２００においては、アイスペール２２０内の氷に動きがあると光にゆらぎが生じ、さらに高い演出効果が得られるという効果もある。また、インテリア２００においては、アイスペール中に氷を適宜供給するだけで光源２１４の発光を持続させることができるため、商用電力を使う必要がなく電気コードも不要となり、インテリアとしての価値が高められている。さらにまた、インテリア２００においては、アイスペール中に氷を適宜供給するだけで光源２１４の発光を持続させることができるため、熱電発電装置２１２を使用した効果が目に見えるようになり、この結果、火力発電や原子力発電を代替する代替エネルギーの普及・啓蒙にも役立つという効果もある。
【００５５】
（実施形態３）
図３は、本発明の実施形態３に係るインテリア３００の説明図である。図３に示されるように、実施形態３に係るインテリア３００は、台３１０と水槽３２０とを備えたインテリアである。
【００５６】
インテリア３００における台３１０は、水槽３２０中の水（例えば冷水）を冷熱源とし室温を温熱源として発電を行う熱電発電装置３１２と、熱電発電装置３１２によって発電された電力を用いて発光するＬＥＤからなる複数の光源３１４と、を有している。熱電発電装置３１２は、その放熱部が台３１０の上面側になりその吸熱部が台３１０の下面側になるように配置されている。また、熱電発電装置３１２の周囲には断熱材が配置されており、熱電発電装置３１２の放熱部と吸熱部の温度差を確保できるように構成されている。熱電発電装置３１２の吸熱部には図示していない吸熱フィンが取り付けられている。
【００５７】
台３１０の上にはガラス製の水槽３２０が配置されている。水槽３２０には冷水が満たされている。インテリア３００においては、光源３１４からの光がその水槽外面で複雑に屈折したり反射したりした後に外部に射出するため、高い演出効果が得られている。また、インテリア３００においては、水槽内の水に動きがあると光にゆらぎが生じ、さらに高い演出効果が得られるという効果もある。また、インテリア３００においては、水を適宜供給するだけで光源３１４の発光を持続させることができるため、商用電力を使う必要がなく電気コードも不要となり、インテリアとしての価値が高められている。さらにまた、インテリア３００においては、水を適宜供給するだけで光源３１４の発光を持続させることができるため、熱電発電装置３１２を使用した効果が目に見えるようになり、この結果、火力発電や原子力発電を代替する代替エネルギーの普及・啓蒙にも役立つという効果もある。
【００５８】
（実施形態４）
図４は、本発明の実施形態４に係るインテリア４００の説明図である。図４に示されるように、実施形態４に係るインテリア４００は、台４１０とオブジェ４２０とを備えたインテリアである。
【００５９】
台４１０は、載置台４１６上に静置された使い捨てかいろ４１８等を温熱源とし室温を冷熱源として発電を行う熱電発電装置４１２と、この熱電発電装置４１２によって発電された電力を用いて発光するＬＥＤからなる複数の光源４１４と、を有している。熱電発電装置４１２の周囲には断熱材が配置されており、熱電発電装置４１２の放熱部と吸熱部の温度差を確保できるように構成されている。熱電発電装置４１２の放熱部には図示していない放熱フィンが取り付けられている。
【００６０】
台４１０の上にはガラス製の透明なオブジェ４２０が配置されている。オブジェ４２０は鑑賞者の目を楽しませることのできるように芸術的な曲面を有しており、光源４１４からの光はそのオブジェの曲面で複雑に屈折したり反射したりした後に外部に射出するため、インテリア４００においては高い演出効果が得られている。また、インテリア４００においては、温熱源を適宜取り替えるだけで光源４１４の発光を持続させることができるため、商用電力を使う必要がなく電気コードも不要となり、インテリアとしての価値が高められている。さらにまた、インテリア４００においては、温熱源４１８を適宜取り替えるだけで光源４１４の発光を持続させることができるため、熱電発電装置４１２を使用した効果が目に見えるようになり、この結果、火力発電や原子力発電を代替する代替エネルギーの普及・啓蒙にも役立つという効果もある。
【００６１】
（実施形態５）
図５は、本発明の実施形態５に係るインテリア５００の説明図である。図５に示されるように、実施形態５に係るインテリア５００は、台５１０と湯槽５２０とを備えたインテリアである。
【００６２】
台５１０は、湯槽５２０中の湯を温熱源とし室温を冷熱源として発電を行う熱電発電装置５１２と、熱電発電装置５１２によって発電された電力を用いて発光するＬＥＤからなる複数の光源５１４と、を有している。熱電発電装置５１２は、その吸熱部が台５１０の上面側になりその放熱部が台５１０の下面側になるように配置されている。また、熱電発電装置５１２の周囲には断熱材が配置されており、熱電発電装置５１２の放熱部と吸熱部の温度差を確保できるように構成されている。熱電発電装置５１２の放熱部には図示していない放熱フィンが取り付けられている。
【００６３】
台５１０の上にはガラス製の湯槽５２０が配置されている。湯槽５２０には湯が満たされている。インテリア５００においては、光源５１４からの光がその湯槽外面で複雑に屈折したり反射したりした後に外部に射出するため、高い演出効果が得られている。また、インテリア５００においてば、湯槽内の湯が対流等により動くため光にゆらぎが生じ、さらに高い演出効果が得られるという効果もある。また、インテリア５００においては、湯を適宜供給するだけで光源５１４の発光を持続させることができるため、商用電力を使う必要がなく電気コードも不要となり、インテリアとしての価値が高まる。さらにまた、インテリア５００においては、湯を適宜供給するだけで光源５１４の発光を持続させることができるため、熱電発電装置５１２を使用した効果が目に見えるようになり、この結果、火力発電や原子力発電を代替する代替エネルギーの普及・啓蒙にも役立つという効果もある。
【００６４】
（実施形態６）
図６は、本発明の実施形態６に係る風呂用船玩具６００の説明図である。図６に示されるように、実施形態６に係る風呂用船玩具６００は、船玩具本体６１０と、船玩具本体６１０に収納されたモ−ター６２０と、モーター６２０の回転により駆動させられるスクリューからなる推進装置６３０とを備え、熱電発電装置６４０と水槽部６５０と舵６６０とをさらに備えている。
【００６５】
熱電発電装置６４０は、上側に放熱部が配置され下側に吸熱部が配置された状態で船玩具本体６１０の底部に配置されている。水槽部６５０は、熱電発電装置６４０の放熱部の上側に設置されている。実施形態６に係る風呂用船玩具６００においては、風呂用船玩具６００を浴槽の湯に浮かべて浴槽の湯から熱電発電装置６４０の吸熱部に熱を与えるとともに水槽部６５０に水を入れて熱電発電装置６４０の放熱部から熱を奪って発電を行う。そして、発電された電力を用いてモーター６２０を回転させてスクリューからなる推進装置６３０を駆動する。
【００６６】
このため、実施形態６に係る風呂用船玩具６００においては、水槽部６５０に水（例えば水道水）を供給するだけで、熱電発電装置６４０が湯と水との温度差により発電を行い、その電力でモーターが回転する結果、船玩具の推進装置が駆動され、船玩具が動き始める。風呂用船玩具６００においては、電池を必要としないため、玩具としての使用価値が高い。また、風呂用船玩具６００においては、水槽部６５０内の水が温まって水温が湯温に近づいて熱電発電効率が低下した場合には、水槽部６５０内の水を新鮮な水に取り替えれば、また熱電発電効率を高めることができる。さらにまた、風呂用船玩具６００においては、水槽部６５０に新鮮な水を入れるだけで船玩具６００が動き始めるので、熱電発電装置６４０を使用した効果が目に見えるようになり、この結果、火力発電や原子力発電を代替する代替エネルギーの普及・啓蒙にも役立つという効果もある。
【００６７】
なお、実施形態６に係る風呂用船玩具６００においては、推進装置としてスクリューを用いているが、本発明はこれに限られず、推進装置として外輪、オール、櫓などを好ましく用いることができる。
【００６８】
（実施形態７）
図７は、本発明の実施形態７に係る浴槽用ジェット水流発生装置７００の説明図である。図７に示されるように、実施形態７に係る浴槽用ジェット水流発生装置７００は、熱電発電を行う熱電発電ユニット７１０と、ジェット水流を発生するジェット水流発生ユニット７２０と、熱電発電ユニット７１０とジェット水流発生ユニット７２０とを電気的に接続する接続部材７３０とを備えている。
【００６９】
このうち、熱電発電ユニット７１０は、中央部に水槽部を有する桶型基体７１２と、桶型基体７１２の底部に配置され上側に放熱部が配置され下側に吸熱部が配置された熱電発電装置７１４とを有している。桶型基体７１２においては、その側部は断熱材７１６でできており、側部を通しての熱伝導により水槽部内の水が温まり難いように構成されている。また、熱電発電装置７１４の周囲にも断熱材７１８が施され、熱電発電装置の吸熱部と放熱部との間の温度差を維持しやすいように構成されている。この熱電発電ユニット７１０は、浴槽７４０の湯に浮かべて浴槽７４０の湯から吸熱部に熱を与えるとともに桶型基体７１０の水槽部に水を入れて放熱部から熱を吸熱して発電を行う。
【００７０】
ジェット水流発生ユニット７２０は、熱電発電ユニット７１０で発電された電力を用いてジェット水流Ｊを発生する。接続部材７３０は熱電発電ユニット７１０とジェット水流発生ユニット７２０とを電気的に接続する役割を果たすほか、ジェット水流発生ユニット７２０に空気を輸送する輸送管を収納する役割をも果たしている。このため、ジェット水流発生ユニット７２０には、熱電発電ユニット７１０に設置されている図示しない空気取り入れ口から必要な空気が送られ、この空気をバブリングすることによりジェット水流とともに気泡を発生させることができる。このため、浴槽用ジェット水流発生装置７００を用いると、気泡風呂としての効果も得られる。
【００７１】
また、浴槽用ジェット水流発生装置７００においては、水が温まって水温が湯温に近づいて熱電発電装置７１４の熱電発電効率が低下した場合には、熱電発電ユニット７１０における水槽内の水を新鮮な水に取り替えればまた熱電発電効率を高めることができる。さらにまた、浴槽用ジェット水流発生装置７００においては、熱電発電ユニット７１０における水槽部に新鮮な水を入れるだけでジェット水流が発生するため、熱電発電装置を使用した効果が目に見えるようになり、この結果、火力発電や原子力発電を代替する代替エネルギーの普及・啓蒙にも役立つ。
【００７２】
（実施形態８）
図８は、本発明の実施形態８に係る玩具８００の説明図である。図８に示されるように、実施形態８に係る玩具８００は、自動車玩具であって、車体８１０と、図示しないモータで回転させられる車輪８２０と、熱電発電装置８３０と、熱電発電装置８３０の周囲に配置された断熱材８６０とを備えている。
【００７３】
熱電発電装置８３０の吸熱部には湯の入った容器や使い捨てかいろなどの温熱体８４０が載置されるように構成された載置台８３２が熱的に接続され、放熱部には氷、ドライアイス、保冷剤などの冷熱体８５０が載置されるように構成された載置台８３４が熱的に載置されている。実施形態８に係る自動車玩具８００においては、載置台８３２及び載置台８３４とに、それぞれ温熱体８４０と冷熱体８５０とを載置することによって発電を行う。そして、発電された電力を用いて図示しないモーターを回転させて車輪８２０を回転させる。
【００７４】
このため、実施形態８に係る自動車８００においては、温熱体８４０と冷熱体８５０とを供給するだけで、熱電発電装置８３０がこれらの温度差により発電を行い、その電力でモーターが回転する結果、車輪８２０が回転し自動車玩具が動き始める。自動車玩具８００においては、電池を必要としないため、玩具としての使用価値が高い。また、自動車玩具８００においては、温度差が小さくなって熱電発電効率が低下した場合には、温熱体８４０や冷熱体８５０を新しいものに取り替えれば、また熱電発電効率を高めることができる。さらにまた、自動車玩具８００においては、温熱体８４０と冷熱体８５０とを供給するだけで、動き始めるので、熱電発電装置８３０を使用した効果が目に見えるようになり、この結果、火力発電や原子力発電を代替する代替エネルギーの普及・啓蒙にも役立つという効果もある。
【図面の簡単な説明】
【図１】本発明の実施形態１に係るインテリアの説明図である。
【図２】本発明の実施形態２に係るインテリアの説明図である。
【図３】本発明の実施形態３に係るインテリアの説明図である。
【図４】本発明の実施形態４に係るインテリアの説明図である。
【図５】本発明の実施形態５に係るインテリアの説明図である。
【図６】本発明の実施形態６に係る風呂用船玩具の説明図である。
【図７】本発明の実施形態７に係る浴槽用ジェット水流装置の説明図である。
【図８】本発明の実施形態８に係る自動車玩具の説明図である。
【図９】熱電発電素子の熱電発電機構を説明するための図である。
【符号の説明】
１００・・・インテリア
１１２・・・熱電発電装置
１１４・・・光源
１１６・・・載置台
１１８・・・氷
１２０・・・オブジェ
２００・・・インテリア
２１０・・・台
２１２・・・熱電発電装置
２１４・・・光源
２２０・・・アイスペール
Ｃ・・・氷
３００・・・インテリア
３１０・・・台
３１２・・・熱電発電装置
３１４・・・光源
３２０・・・水槽
４００・・・インテリア
４１２・・・熱電発電装置
４１４・・・光源
４１６・・・載置台
４１８・・・使い捨てかいろ
４２０・・・オブジェ
５００・・・インテリア
５１０・・・台
５１２・・・熱電発電装置
５１４・・・光源
５２０・・・湯槽
６００・・・風呂用船玩具
６１０・・・船玩具本体
６２０・・・モーター
６３０・・・スクリュー
６４０・・・熱電発電装置
６５０・・・水槽部
６６０・・・舵
７００・・・浴槽用ジェット水流発生装置
７１０・・・熱電発電ユニット
７１２・・・側部
７１４・・・熱電発電装置
７１６、７１８・・・断熱材
７２０・・・ジェット水流発生ユニット
７３０・・・接続部材
７４０・・・浴槽
Ｊ・・・ジェット水流
Ｂ・・・気泡
８００・・・自動車玩具
８１０・・・車体
８２０・・・車輪
８３０・・・熱電発電装置
８３２，８３４・・・載置台
８４０・・・温熱体
８５０・・・冷熱体
８６０・・・断熱材
９００・・・熱電発電素子
９１０Ｎ・・・Ｎ型半導体
９１０Ｐ・・・Ｐ型半導体
９２０Ｈ・・・吸熱側セラミック
９２０Ｌ・・・放熱側セラミック
９３０Ｈ・・・吸熱側電極
９３０Ｌ・・・放熱側セラミック
Ｖ・・・電圧計
Ａ・・・電流計
Ａ２・・・半導体層
Ａ１・・・吸熱側電極
Ａ３・・・放熱側電極
【図１】
0004176376.tif 000002
【図２】
0004176376.tif 000003
【図３】
0004176376.tif 000004
【図４】
0004176376.tif 000005
【図５】
0004176376.tif 000006
【図６】
0004176376.tif 000007
【図７】
0004176376.tif 000008
【図８】
0004176376.tif 000009
【図９】
0004176376.tif 000010